(57)【要約】【課題】釣り用水汲みバケツを利用して、好適に縦長の釣り具を縦向きに保持できるようにすることである。【解決手段】バケツ本体１の側壁１ｂの内面側に、縦長の釣り具を縦向きに保持する筒状保持部４を設けることにより、水を入れたバケツ本体１を引き上げるときに、凹凸のある岩場の岩や波止場の消波ブロック等に引っ掛かったり、衝突して損傷したりしないようにして、好適に縦長の釣り具を筒状保持部４に縦向きに保持できるようにした。【選択図】図１
2011142839.tif 000002
【特許請求の範囲】
【請求項１】
側壁に自立性を持たせたバケツ本体に吊下げ紐を連結し、水面にバケツ本体を投げ入れてその中に水を入れた後、前記吊下げ紐を手繰ってバケツ本体を引き上げ、水を汲み上げる釣り用水汲みバケツにおいて、前記バケツ本体の側壁の内面側に、縦長の釣り具を縦向きに保持する少なくとも１つの筒状保持部を設けたことを特徴とする釣り用水汲みバケツ。
【請求項２】
前記筒状保持部に前記バケツ本体の側壁の外側に貫通する水抜き孔を設け、前記水を汲み上げたときに前記筒状保持部に入る水を外部に排出するようにした請求項１に記載の釣り用水汲みバケツ。
【発明の詳細な説明】
【技術分野】
【０００１】
本発明は、魚釣りの際に水を汲み上げるために用いる釣り用水汲みバケツに関する。
【背景技術】
【０００２】
魚釣りの際には、水を生け簀に入れたり、練り餌に加えたりする等、水が必要なときに海水等を汲み上げるために、釣り用水汲みバケツを使用している。釣り用水汲みバケツは、バケツ本体に吊下げ紐を連結したものであり、水面にバケツ本体を投げ入れてその中に水を入れた後、吊下げ紐を手繰ってバケツ本体を引き上げ、水を汲み上げるようにしている（例えば、特許文献１、２参照）。
【０００３】
特許文献１に記載されたものは、バケツ本体の上端部両側に設けた鳩目金具に通した保持紐を介して吊下げ紐を連結し、特許文献２に記載されたものは、バケツ本体の上端部両側に回動自在に取り付けた把手を介して吊下げ紐を連結している。また、バケツ本体は、汲み上げた水を安定して溜めておけるように、側壁が直立するように自立性を持たせたものが多い。
【０００４】
一方、海釣り等では、状況に応じて釣り竿を変えたり、使用本数を増やしたりできるように、複数本の釣り竿を携行することが多い。また、釣り上げた魚を掬うためのたも網を携行することもある。通常、釣り竿やたも網等の縦長の釣り具は、必要なときに直ぐに使用できるように、釣り場で近くに寝かして置いている。
【先行技術文献】
【特許文献】
【０００５】
【特許文献１】特開平１１−１５５４５３号公報
【特許文献２】特開２００６−５５０１０号公報
【発明の概要】
【発明が解決しようとする課題】
【０００６】
上述したように、使用予定の釣り竿やたも網等の縦長の釣り具を釣り場で寝かして置いていると、他人の通行の邪魔になるとともに、自分自身や他人が踏み付けて、これらの釣り具を損傷する恐れがある。このような問題に対して、本発明者は、釣り用餌入れバッグを利用して、自立性を持たせた容器本体の側壁の外面側に、縦長の釣り具を縦向きに保持する筒状保持部を設けることを先に提案している（特願２００９−０２３６９７）。
【０００７】
このように、縦長の釣り具を縦向きに保持する手段としては、釣り用水汲みバケツを利用して、上記釣り用餌入れバッグのように、自立性を持たせたバケツ本体の側壁の外面側に筒状保持部を設けることが考えられるが、釣り用水汲みバケツの場合は、水を入れた重いバケツ本体を引き上げるときに、バケツ本体の側壁の外面側に突出する筒状保持部が、凹凸のある岩場の岩や波止場の消波ブロック等に引っ掛かったり、衝突して損傷したりする問題がある。
【０００８】
そこで、本発明の課題は、釣り用水汲みバケツを利用して、好適に縦長の釣り具を縦向きに保持できるようにすることである。
【課題を解決するための手段】
【０００９】
上記の課題を解決するために、本発明は、側壁に自立性を持たせたバケツ本体に吊下げ紐を連結し、水面にバケツ本体を投げ入れてその中に水を入れた後、前記吊下げ紐を手繰ってバケツ本体を引き上げ、水を汲み上げる釣り用水汲みバケツにおいて、前記バケツ本体の側壁の内面側に、縦長の釣り具を縦向きに保持する少なくとも１つの筒状保持部を設けた構成を採用した。
【００１０】
すなわち、バケツ本体の側壁の内面側に、縦長の釣り具を縦向きに保持する少なくとも１つの筒状保持部を設けることにより、筒状保持部がバケツ本体の側壁の外面側に突出しないようにして、水を入れたバケツ本体を引き上げるときに、凹凸のある岩場の岩や波止場の消波ブロック等に引っ掛かったり、衝突して損傷したりしないようにし、好適に縦長の釣り具を筒状保持部に縦向きに保持できるようにした。また、この釣り用水汲みバケツは、縦長の釣り具をバケツ本体の内側で縦向きに保持するので、バケツ本体に転倒モーメントが作用し難い利点もある。
【００１１】
前記筒状保持部に前記バケツ本体の側壁の外側に貫通する水抜き孔を設け、前記水を汲み上げたときに前記筒状保持部に入る水を外部に排出することにより、筒状保持部に保持される縦長の釣り具の柄が水に濡れないようにするとともに、保持される釣り具に浮力が作用しないようにして、安定して保持することができる。
【発明の効果】
【００１２】
本発明の釣り用水汲みバケツは、バケツ本体の側壁の内面側に、縦長の釣り具を縦向きに保持する少なくとも１つの筒状保持部を設けたので、水を入れたバケツ本体を引き上げるときに、凹凸のある岩場の岩や波止場の消波ブロック等に引っ掛かったり、衝突して損傷したりしないようにして、好適に縦長の釣り具を筒状保持部に縦向きに保持することができる。この釣り用水汲みバケツは、縦長の釣り具をバケツ本体の内側で縦向きに保持するので、バケツ本体に転倒モーメントが作用し難い利点もある。
【図面の簡単な説明】
【００１３】
【図１】釣り用水汲みバケツの実施形態を示す外観斜視図
【図２】図１の縦断側面図
【図３】図１の釣り用水汲みバケツに縦長の釣り具を保持した状態を示す側面図
【図４】図１の釣り用水汲みバケツで水を汲み上げる状態を示す側面図
【発明を実施するための形態】
【００１４】
以下、図面に基づき、本発明の実施形態を説明する。この釣り用水汲みバケツは、図１および図２に示すように、コーナ部に丸みを持たせた正方形断面形状のバケツ本体１の上端部に設けた枠部材１ａに、把手２を両側に差し渡して回動自在に取り付け、把手２の中央部に吊下げ紐３を連結したものである。バケツ本体１はエチレン酢酸ビニル共重合樹脂（ＥＶＡ）のシート部材で形成され、その側壁１ｂは直立する自立性が持たされており、側壁１ｂの内面側に、縦長の釣り具を縦向きに保持する筒状保持部４が設けられ、筒状保持部４に側壁１ｂの外側に貫通する複数の水抜き孔５が設けられている。
【００１５】
前記筒状保持部４は、バケツ本体１を形成するシート部材と同系統で、少し厚肉のＥＶＡで形成され、側壁１ｂの内面側に開口しており、側壁１ｂとの間でバケツ本体１の底とは別の底を有する筒部を形成するようになっている。厚肉のＥＶＡで形成された筒状保持部４は、周縁部全長が熱溶着によって側壁１ｂの内面に固着されており、バケツ本体１内の水が筒状保持部４に流入することはない。したがって、汲み上げ時に筒状保持部４に入る水が水抜き孔５から排出された後は、筒状保持部４の中は空になる。なお、バケツ本体１の底が十分な強度を有する場合は、筒状保持部４の底をバケツ本体１の底で形成することもできる。
【００１６】
前記吊下げ紐３には糸巻き６が取り付けられている。糸巻き６には、把手部６ａと、巻かれた吊下げ紐３の端を係止する２箇所の楔状部６ｂが設けられている。また、把手２に連結された吊下げ紐３の先端部には、釣り用水汲みバケツを腰ベルト等に係止するカラビナ７も取り付けられている。
【００１７】
図３は、上述した釣り用水汲みバケツを用いて、縦長の釣り具としての釣り竿Ａを筒状保持部４に縦向きに保持した状態を示す。筒状保持部４の中は空になっているので、釣り竿Ａの柄が水に濡れることはない。また、縦長の釣り竿Ａはバケツ本体１の内側に保持されるので、バケツ本体１に転倒モーメントが作用し難く、釣り竿Ａに浮力が作用することもないので、釣り竿Ａを安定して保持することができる。
【００１８】
図４は、上述した釣り用水汲みバケツを用いて水を汲み上げる状態を示す。この釣り場は岩場であり、吊下げ紐３を手繰ってバケツ本体１を引き上げるときに、水を入れた重いバケツ本体１が岩場の岩に当たるが、バケツ本体１の側壁１ｂの外面側には突出するものがないので、バケツ本体１が凹凸のある岩に引っ掛かったり、衝突して損傷したりする心配はない。
【００１９】
上述した実施形態では、バケツ本体を正方形断面形状のものとし、その側壁の内面側に１つの筒状保持部を設けたが、バケツ本体は長方形断面形状や円形断面形状のものとしてもよく、側壁の内面側に複数の筒状保持部を設けることもできる。
【符号の説明】
【００２０】
１  バケツ本体
１ａ  枠部材
１ｂ  側壁
２  把手
３  吊下げ紐
４  筒状保持部
５  水抜き孔
６  糸巻き
６ａ  把手部
６ｂ  楔状部
７  カラビナ
【図１】
2011142839.tif 000003
【図２】
2011142839.tif 000004
【図３】
2011142839.tif 000005
【図４】
2011142839.tif 000006